(57)【要約】【課題】より効果的に省電力を達成することができる画像形成装置を提供する。【解決手段】画像形成装置１００Ａは、画像形成のため、操作パネル１０１、ファン１０２などの電力負荷となる負荷構成に対して電力を供給するメイン系電源回路１０９と、制御基板にメイン系電源回路よりも低電圧で電力を供給するサブ系電源回路１１２とを有する。外部電源と電源回路との間に介挿されたスイッチ１１１にはソレノイド１１１Ａが含まれる。ソレノイド１１１Ａはメイン系電源回路１０９からの電力供給によって動作してスイッチ１１１をＯＦＦする。メイン系電源回路１０９はＯＮ／ＯＦＦ可能であり、ＯＦＦであるスリープモードでソレノイド１１１Ａを動作させる際、先立ってメイン系電源回路１０９と負荷構成との間のスイッチ１１２を開放してからメイン系電源回路１０９をＯＮすることで、負荷構成には電力供給されずにソレノイド１１１Ａを動作させる。【選択図】図１
2012132989.tif 000002
【特許請求の範囲】
【請求項１】
画像形成処理を行なうための処理手段と、
前記処理手段を制御するための制御手段と、
前記制御手段に対して電力を供給するための第１の電源回路と、
前記処理手段に対して前記第１の電源回路よりも高い電圧で電力を供給するための第２の電源回路と、
外部電源と前記第１の電源回路および前記第２の電源回路との間に介挿され、前記第２の電源回路の供給する電力の少なくとも一部を用いて前記外部電源から前記第１の電源回路および前記第２の電源回路への電力供給をＯＮ／ＯＦＦするための第１のスイッチとを備え、
前記制御手段は、
前記第２の電源回路に対して、前記処理手段への電力供給のＯＮ／ＯＦＦを切替える制御信号を出力するためのＯＮ／ＯＦＦ制御部と、
前記外部電源から前記第１の電源回路および前記第２の電源回路への電力供給をＯＦＦするタイミングを検出するための検出手段と、
前記検出手段で検出された前記ＯＦＦするタイミングにおいて前記第２の電源回路の前記処理手段に対する電力供給がＯＦＦである場合に、前記第２の電源回路からの電力供給をＯＦＦからＯＮに切替えるよりも以前に、前記第２の電源回路からの電力供給がＯＦＦからＯＮに切替わった際に前記処理手段を起動させないように制御するための第１の制御手段と、
前記第１の制御手段での制御の後に、前記第２の電源回路からの電力供給をＯＦＦからＯＮに切替えるための第２の制御手段とを含む、画像形成装置。
【請求項２】
前記第２の電源回路と前記処理手段との間に介挿され、前記第２の電源回路から前記処理手段への電力供給をＯＮ／ＯＦＦするための第２のスイッチをさらに備え、
前記第１の制御手段は、前記第２の電源回路からの電力供給をＯＦＦからＯＮに切替えるよりも以前に前記第２のスイッチを開放して、前記第２の電源回路から前記処理手段への電力供給をＯＦＦとする、請求項１に記載の画像形成装置。
【請求項３】
前記第１の制御手段は、前記第２の電源回路からの電力供給をＯＦＦからＯＮに切替えるよりも以前に、前記処理手段に対して前記第２の電源回路からの電力供給に伴って起動させないための制御信号を出力する、請求項１に記載の画像形成装置。
【請求項４】
前記第１のスイッチは、前記第２の電源回路からの電力供給で動作するソレノイドを含む、請求項１〜３のいずれかに記載の画像形成装置。
【請求項５】
画像形成装置への外部電源からの電力供給をＯＮ／ＯＦＦする制御方法であって、
前記画像形成装置は、
画像形成処理を行なうための処理手段と、
前記処理手段を制御するための制御手段と、
前記制御手段に対して電力を供給するための第１の電源回路と、
前記処理手段に対して前記第１の電源回路よりも高い電圧で電力を供給するための第２の電源回路と、
外部電源と前記第１の電源回路および前記第２の電源回路との間に介挿され、前記第２の電源回路の供給する電力の少なくとも一部を用いて前記外部電源から前記第１の電源回路および前記第２の電源回路への電力供給をＯＮ／ＯＦＦするための第１のスイッチとを含み、
前記外部電源から前記第１の電源回路および前記第２の電源回路への電力供給をＯＦＦするタイミングを検出するステップと、
前記ＯＦＦするタイミングが検出されたときに前記第２の電源回路の前記処理手段に対する電力供給がＯＦＦである場合に、前記第２の電源回路からの電力供給がＯＦＦからＯＮに切替わった際に前記処理手段を起動させないように制御するステップと、
前記処理手段を起動させないように制御するステップの後に、前記第２の電源回路からの電力供給をＯＦＦからＯＮに切替えるステップとを備える、画像形成装置の制御方法。
【請求項６】
画像形成装置に、外部電源からの電力供給をＯＮ／ＯＦＦする制御を実行させるためのプログラムであって、
前記画像形成装置は、
画像形成処理を行なうための処理手段と、
前記処理手段を制御するための制御手段と、
前記制御手段に対して電力を供給するための第１の電源回路と、
前記処理手段に対して前記第１の電源回路よりも高い電圧で電力を供給するための第２の電源回路と、
外部電源と前記第１の電源回路および前記第２の電源回路との間に介挿され、前記第２の電源回路の供給する電力の少なくとも一部を用いて前記外部電源から前記第１の電源回路および前記第２の電源回路への電力供給をＯＮ／ＯＦＦするための第１のスイッチとを含み、
前記外部電源から前記第１の電源回路および前記第２の電源回路への電力供給をＯＦＦするタイミングを検出するステップと、
前記ＯＦＦするタイミングが検出されたときに前記第２の電源回路の前記処理手段に対する電力供給がＯＦＦである場合に、前記第２の電源回路からの電力供給がＯＦＦからＯＮに切替わった際に前記処理手段を起動させないように制御するステップと、
前記処理手段を起動させないように制御するステップの後に、前記第２の電源回路からの電力供給をＯＦＦからＯＮに切替えるステップとを前記画像形成装置に実行させる、画像形成装置の制御プログラム。
【発明の詳細な説明】
【技術分野】
【０００１】
この発明は画像形成装置、画像形成装置の制御方法、および画像形成装置の制御プログラムに関し、特に、省電力制御を行なう画像形成装置、該画像形成装置の制御方法、および該画像形成装置の制御プログラムに関する。
【背景技術】
【０００２】
従来の、複写機やプリンタなどの画像形成装置では、メインスイッチとして、本体への電力供給を開始／遮断するスイッチを用いるものが多かった。従来、このメインスイッチはユーザに操作されるものであった。
【０００３】
近年、省電力化のため、所定時間スタンバイ状態などの処理を行なわない状態である場合、つまり、処理を行なわずに電力を消費する状態である場合、自動でメインスイッチをＯＦＦ状態とする機能を有する画像形成装置が提案されている。このような画像形成装置には、自動で電力の供給を遮断するために、一例として、リセット機能を有したメインスイッチが用いられる。
【０００４】
リセット機能を有するメインスイッチの代表的な構成として、ソレノイドとスプリングとを内蔵するものがある。このメインスイッチでは、外部からの信号がリセット端子に入力されると、ソレノイドが動作してスプリングに動力を伝える。そして、スプリングの力でメインスイッチが動作して、ＯＮ状態がＯＦＦ状態に移行する。
【０００５】
このようなリセット機能を有するメインスイッチを用いた画像形成装置として、特開平９−２３０７５４号公報（以下、特許文献１）は、所定時間以上操作がなされない場合に、自動的にメイン制御部がソレノイドに制御出力し、メインスイッチをＯＦＦ状態とする画像形成装置を開示している。
【０００６】
同様の制御を行なう装置として、特開２００７−１４８７８１号公報（以下、特許文献２）は、ネットワーク周辺機器に接続されているスイッチングハブであって、ネットワーク周辺機器がスリープ状態のときにはネットワークコントローラへの給電を遮断し、ネットワーク上のデータが当該ネットワーク周辺機器宛てのものである場合にネットワークコントローラに給電する、スイッチングハブを開示している。また、特開平７−３０７８１８号公報（以下、特許文献３）は、ファクシミリ送受信を行なう通信装置であって、ＣＩ信号を検出したときに給電を開始し、受信動作が終了すると電源を遮断する通信装置を開示している。
【先行技術文献】
【特許文献】
【０００７】
【特許文献１】特開平９−２３０７５４号公報
【特許文献２】特開２００７−１４８７８１号公報
【特許文献３】特開平７−３０７８１８号公報
【発明の概要】
【発明が解決しようとする課題】
【０００８】
画像形成装置では、省電力の観点から、給電系統を、画像形成処理を行なう構成に対して電力供給を行なうメイン系統と、画像形成処理を行なう構成以外の少なくとも基板回路を含んだ構成に対して電力供給を行なうサブ系統との２系統に区分し、メイン系統は電力供給のＯＮ／ＯＦＦを制御可能とし、サブ系統は常時給電するものがある。この構成の場合、メイン系統ではたとえば２４Ｖなどの高電圧で給電し、サブ系統ではたとえば３．３Ｖなどの低電圧で給電することが通常なされている。
【０００９】
サブ系統での給電を利用してソレノイドを動作させる場合、ソレノイドの両端子間の電位差が小さくなるため、ソレノイドを動作させるためには大きな電流が必要となる、という問題があった。
【００１０】
その問題を受けて、メイン系統での給電を利用してソレノイドを動作させるとすると、ソレノイド両端子間に電位差を発生させるために、ソレノイドを動作させる際にメイン系統での給電が行なわれている必要がある。
【００１１】
メイン系統での電力供給がなされているときには、画像形成装置は画像形成動作中、または画像形成動作のスタンバイモードである。そして、一定時間画像形動作の指示がなされていない場合に、メイン系統での電力供給がＯＦＦ状態となり、サブ系統のみの電力供給が行なわれる、スリープモードとなる。
【００１２】
メイン系統での電力供給が行なわれているスタンバイモードではソレノイド両端子間に電位差が生じており、それを利用してソレノイドを動作させることでメインスイッチをＯＦＦ状態とすることで、省電力の効果が向上する。
【００１３】
しかしながら、スリープモードではメイン系統で給電がなされていないため、ソレノイド両端子間に電位差が生じていない。そのため、ソレノイドを動作させるためには、いったん、メイン系統を起動させて電力供給を行なってソレノイド両端子間に電位差を生じさせる必要がある。メイン系統を起動させると画像形成処理を行なう構成に対して電力供給が開始されるため、定着ヒータ点灯の動作などを含んだウォームアップ動作や、ファン、モータ、操作パネルなどの動作が開始されることになる。そのため、スリープモードではソレノイドを動作させるためにこれら動作に必要な電力が消費されることになって、省電力の効果を損なうことになる、という問題がある。
【００１４】
さらに、操作パネルの動作が開始することで、スリープモードにおいて消灯していた操作パネルがメインスイッチをＯＦＦ状態とする際にいったん点灯することになり、ユーザに違和感を与えるという問題もある。
【００１５】
本発明はこのような問題に鑑みてなされたものであって、給電系統がメイン系統とサブ系統との２系統以上で構成され、省電力モードを有する画像形成装置であって、リセット機能を有するメインスイッチを用いてスリープモードでメインスイッチをＯＦＦ状態とする場合に、より効果的に省電力を達成することのできる画像形成装置を提供することを目的の一つとする。
【課題を解決するための手段】
【００１６】
上記目的を達成するために、本発明のある局面に従うと、画像形成装置は、画像形成処理を行なうための処理手段と、処理手段を制御するための制御手段と、制御手段に対して電力を供給するための第１の電源回路と、処理手段に対して第１の電源回路よりも高い電圧で電力を供給するための第２の電源回路と、外部電源と第１の電源回路および第２の電源回路との間に介挿され、第２の電源回路の供給する電力の少なくとも一部を用いて外部電源から第１の電源回路および第２の電源回路への電力供給をＯＮ／ＯＦＦするための第１のスイッチとを備える。制御手段は、第２の電源回路に対して、処理手段への電力供給のＯＮ／ＯＦＦを切替える制御信号を出力するためのＯＮ／ＯＦＦ制御部と、外部電源から第１の電源回路および第２の電源回路への電力供給をＯＦＦするタイミングを検出するための検出手段と、検出手段で検出されたＯＦＦするタイミングにおいて第２の電源回路の処理手段に対する電力供給がＯＦＦである場合に、第２の電源回路からの電力供給をＯＦＦからＯＮに切替えるよりも以前に、第２の電源回路からの電力供給がＯＦＦからＯＮに切替わった際に処理手段を起動させないように制御するための第１の制御手段と、第１の制御手段での制御の後に、第２の電源回路からの電力供給をＯＦＦからＯＮに切替えるための第２の制御手段とを含む。
【００１７】
好ましくは、画像形成装置は、第２の電源回路と前記処理手段との間に介挿され、第２の電源回路から処理手段への電力供給をＯＮ／ＯＦＦするための第２のスイッチをさらに備え、第１の制御手段は、第２の電源回路からの電力供給をＯＦＦからＯＮに切替えるよりも以前に第２のスイッチを開放して、第２の電源回路から処理手段への電力供給をＯＦＦとする。
【００１８】
好ましくは、第１の制御手段は、第２の電源回路からの電力供給をＯＦＦからＯＮに切替えるよりも以前に、処理手段に対して第２の電源回路からの電力供給に伴って起動させないための制御信号を出力する。
【００１９】
好ましくは、第１のスイッチは、第２の電源回路からの電力供給で動作するソレノイドを含む。
【００２０】
本発明の他の局面に従うと、画像形成装置の制御方法は画像形成装置への外部電源からの電力供給をＯＮ／ＯＦＦする制御方法であって、画像形成装置は、画像形成処理を行なうための処理手段と、処理手段を制御するための制御手段と、制御手段に対して電力を供給するための第１の電源回路と、処理手段に対して第１の電源回路よりも高い電圧で電力を供給するための第２の電源回路と、外部電源と第１の電源回路および第２の電源回路との間に介挿され、第２の電源回路の供給する電力の少なくとも一部を用いて外部電源から第１の電源回路および第２の電源回路への電力供給をＯＮ／ＯＦＦするための第１のスイッチとを含む。画像形成装置の制御方法は、外部電源から第１の電源回路および第２の電源回路への電力供給をＯＦＦするタイミングを検出するステップと、ＯＦＦするタイミングが検出されたときに第２の電源回路の処理手段に対する電力供給がＯＦＦである場合に、第２の電源回路からの電力供給がＯＦＦからＯＮに切替わった際に処理手段を起動させないように制御するステップと、処理手段を起動させないように制御するステップの後に、第２の電源回路からの電力供給をＯＦＦからＯＮに切替えるステップとを備える。
【００２１】
本発明のさらに他の局面に従うと、画像形成装置の制御プログラムは、画像形成装置に、外部電源からの電力供給をＯＮ／ＯＦＦする制御を実行させるためのプログラムであって、画像形成装置は、画像形成処理を行なうための処理手段と、処理手段を制御するための制御手段と、制御手段に対して電力を供給するための第１の電源回路と、処理手段に対して第１の電源回路よりも高い電圧で電力を供給するための第２の電源回路と、外部電源と第１の電源回路および第２の電源回路との間に介挿され、第２の電源回路の供給する電力の少なくとも一部を用いて外部電源から第１の電源回路および第２の電源回路への電力供給をＯＮ／ＯＦＦするための第１のスイッチとを含む。画像形成装置の制御プログラムは、外部電源から第１の電源回路および第２の電源回路への電力供給をＯＦＦするタイミングを検出するステップと、ＯＦＦするタイミングが検出されたときに第２の電源回路の処理手段に対する電力供給がＯＦＦである場合に、第２の電源回路からの電力供給がＯＦＦからＯＮに切替わった際に処理手段を起動させないように制御するステップと、処理手段を起動させないように制御するステップの後に、第２の電源回路からの電力供給をＯＦＦからＯＮに切替えるステップとを画像形成装置に実行させる。
【発明の効果】
【００２２】
この発明によると、給電系統がメイン系統とサブ系統との２系統以上で構成され、省電力モードを有する画像形成装置においてリセット機能を有するメインスイッチを用いてスリープモードでメインスイッチをＯＦＦ状態とする場合に、より効果的に省電力を達成することができる。
【図面の簡単な説明】
【００２３】
【図１】第１の実施の形態にかかる画像形成装置であるコピー機の装置構成および電源構成の具体例を示す図である。
【図２】第１の実施の形態にかかるコピー機の制御基板の構成の具体例を示す図である。
【図３】第１の実施の形態にかかるコピー機における動作を表わしたフローチャートである。
【図４】第２の実施の形態にかかる画像形成装置であるコピー機の装置構成および電源構成の具体例を示す図である。
【図５】第２の実施の形態にかかるコピー機の制御基板の構成の具体例を示す図である。
【発明を実施するための形態】
【００２４】
以下に、図面を参照しつつ、本発明の実施の形態について説明する。以下の説明では、同一の部品および構成要素には同一の符号を付してある。それらの名称および機能も同じである。
【００２５】
［第１の実施の形態］
＜装置構成＞
図１は、第１の実施の形態にかかる画像形成装置の装置構成および電源構成の具体例を示す図である。本実施の形態において、画像形成装置がコピー機であるものとする。画像形成装置は、コピーに限定されず、プリンタ、ファクシミリ送受信機などであってもよいし、これらの複合的な機能を有した装置であるＭＦＰなどであってもよい。
【００２６】
図１において、太線は電力供給のための接続を表わし、点線は制御信号の送受信のための接続を表わしている。
【００２７】
図１を参照して、第１の実施の形態にかかる画像形成装置であるコピー機１００Ａは、操作パネル１０１と、ファン１０２と、画像形成処理を行ないその結果を印刷用紙に印字するためのイメージングユニット１０３と、スキャナ１０４と、図示しない原稿トレイに置かれた原稿を一枚ずつ読取位置まで搬送して光学的に読取る自動原稿読取装置１０５と、印字された印刷用用紙に対してステープル処理やパンチ処理などの後処理を行なうためのフィニッシャ１０６と、これらを制御するための図示しないＣＰＵなどを含んだ制御基板１０７とを備える。
【００２８】
コピー機１００Ａには、商用電源（外部電源）から電力供給を受けるためのコンセント１０８が備えられ、商用電源からメイン系電源回路１０９およびサブ系電源回路１１０に電力が供給される。メイン系電源回路１０９は、高電圧（たとえば２４Ｖ）で電力を供給する電源回路であって、電力供給を行なう状態（ＯＮ）と行なわない状態（ＯＦＦ）との切り替えが可能な構成である。サブ系電源回路１１０は、メイン系電源回路１０９よりも低電圧（たとえば３．３Ｖ）で電力を供給する電源回路であって、常時電力供給を行なう。
【００２９】
上記構成のうち、操作パネル１０１、ファン１０２、イメージングユニット１０３と、スキャナ１０４、自動原稿読取装置１０５、およびフィニッシャ１０６は、画像形成処理のための構成であって、これら構成は電力負荷となるため、以降の説明ではこれら構成を負荷構成とも称する。メイン系電源回路１０９はこれら負荷構成に対して電力を供給する。
【００３０】
サブ系電源回路１１０は制御基板１０７に電力を供給する。
コンセント１０８とメイン系電源回路１０９およびサブ系電源回路１１０との間には、リセット機能を有するメインスイッチ１１１が配される。メインスイッチ１１１はリセット機能を実現する構成として、ソレノイド１１１Ａを内蔵している。ソレノイド１１１Ａの動作方向にはソレノイドの動作軸とメインスイッチ１１１とに接した図示しないスプリングが設けられ、ソレノイド１１１Ａの動作軸の動力がスプリングを介してメインスイッチ１１１に伝導される。これにより、メインスイッチ１１１がＯＮ状態から押し上げられてＯＦＦ状態となる。メインスイッチ１１１がＯＦＦ状態となることで、メイン系電源回路１０９への電力供給およびサブ系電源回路１１０への電力供給のいずれもが遮断される。
【００３１】
ソレノイド１１１Ａの一方の端子は、スイッチ１１１Ｂを間に挟んで接地されている。ソレノイド１１１Ａの他方の端子は、メイン系電源回路１０９と負荷構成との間に接続されている。従って、ソレノイド１１１Ａの上記一方の端子がスイッチ１１１Ｂが閉塞することで接地され、メイン系電源回路１０９が負荷構成に対して給電しているＯＮ状態である場合、ソレノイド１１１Ａの端子間には２４Ｖに相当する電位差が生じる。
【００３２】
コピー機１００Ａにおいては、さらに、メイン系電源回路１０９と負荷構成との間にスイッチ１１２が配備される。スイッチ１１２が閉塞することでメイン系電源回路１０９から負荷構成に対する給電が可能となり、スイッチ１１２が開放することでメイン系電源回路１０９から負荷構成に対する給電が遮断される。
【００３３】
＜制御概要＞
コピー機１００Ａは、予め設定されている所定時間、画像形成処理が行なわれない場合、自動的にメイン系電源回路１０９からの負荷構成に対する給電が遮断され、メイン系電源回路１０９がＯＦＦ状態となる。メイン系電源回路１０９から負荷構成に対する給電がなされている状態を画像形成処理が可能な状態としてスタンバイモードと称し、給電が遮断されている状態を画像形成装置が不可能な状態としてスリープモードと称する。スリープモードでは、サブ系電源回路１１０から制御基板１０７に対する給電のみがなされている。
【００３４】
コピー機１００Ａでは、所定のタイミングでリセット機能を発揮させて、メインスイッチ１１１をＯＦＦ状態とする。所定のタイミングとは、操作パネル１０１からの操作信号が所定時間入力されていないことが検出されたタイミングや、ユーザ操作によって指示されたことによってリセット信号が操作パネル１０１から入力されたタイミングや、先の所定の動作から画像形成処理が所定時間実行されていないことが検出されたタイミング、などが該当する。
【００３５】
ところで、図１に表わされたように、ソレノイド１１１Ａの端子間には、スイッチ１１１Ｂが閉塞し、かつ、メイン系電源回路１０９が負荷構成に対して給電しているＯＮ状態でないと、２４Ｖに相当する電位差が生じない。そのため、リセット機能を発揮させるタイミングにこれら条件を満たさない場合には、ソレノイド１１１Ａが動作せず、リセット機能が発揮されない。
【００３６】
そこで、リセット機能を発揮させるタイミングにおいてメイン系電源回路１０９が負荷構成に対して給電していないスリープモードである場合、メイン系電源回路１０９をいったんＯＮ状態としてソレノイド１１１Ａの端子間に２４Ｖに相当する電位差を生じさせる必要がある。
【００３７】
しかしながら、メイン系電源回路１０９がＯＮ状態となると負荷構成に給電され、負荷構成の動作が開始される。たとえば操作パネル１０１に給電されることで操作パネル１０１が点灯する。そのため、スリープモードでリセット機能を発揮させる場合に、いったん操作パネル１０１が点灯して、その後に給電が遮断されることで消灯する、という現象が生じることになる。
【００３８】
そのため、コピー機１００Ａでは、リセット機能を発揮させるタイミングにおいてメイン系電源回路１０９が負荷構成に対して給電していないスリープモードである場合、スイッチ１１２を開放してメイン系電源回路１０９から負荷構成に給電されないようにした上で、メイン系電源回路１０９をＯＮ状態とする。
【００３９】
＜機能構成＞
図２は、上記制御を実現するためのコピー機１００Ａの制御基板１０７の構成の具体例を示す図である。制御基板１０７には図示しないＣＰＵが含まれ、図２に示される構成は、すべて、ＣＰＵが図示しないメモリに記憶されているプログラムを実行することによって実現されるソフトウェア構成であってもよいし、少なくとも一部が電子回路などのハードウェア構成で実現されるものであってもよい。
【００４０】
図２を参照して、制御基板１０７は、操作パネル１０１からの操作信号の入力を受け付けるための入力部７１と、操作信号に基づいて負荷構成に実行させる動作を特定し、制御信号を生成するための動作制御部７２と、該制御信号を負荷構成のうちの動作を実行させる構成に対して出力するための動作制御信号出力部７３と、操作信号の入力を監視してスリープモードに移行させるタイミングや、スリープモードからスタンバイモードに復帰させるタイミングを検出するためのスリープ検出部７４と、メイン系電源回路に対してＯＮ状態またはＯＦＦ状態とさせるための制御信号を出力するためのＯＮ／ＯＦＦコントロール信号出力部７５と、操作信号の入力を監視してリセット機能を発揮させるタイミングを検出するためのリセット検出部７６と、リセット機能を発揮させるための制御信号を生成するためのリセット制御部７７と、スイッチ１１１Ｂを閉塞することでソレノイド１１１Ａの一方の端子を接地させ、ソレノイド１１１Ａの端子間に電位差を生じさせるための制御信号であるリセット信号をスイッチ１１１Ｂに対して出力するためのリセット信号出力部７８と、スイッチ１１２を開放してメイン系電源回路１０９から負荷構成に対する給電を遮断するための制御信号であるリレー動作信号をスイッチ１１２に対して出力するためのリレー動作信号出力部７９とを含む。
【００４１】
リセット制御部７７は、リセット検出部７６においてリセット機能を発揮させるタイミングが検出された時点で、メイン系電源回路１０９がＯＮ状態であるかＯＦＦ状態であるかを確認する。
【００４２】
メイン系電源回路１０９がＯＮ状態であるとき、つまりコピー機１００Ａがスタンバイモードである場合には、リセット制御部７７はリセット信号のみ出力してリレー動作信号は出力させないと判断する。この場合、リセット信号出力部７８からリセット信号がスイッチ１１１Ｂに対して出力され、リレー動作信号出力部７９からスイッチ１１２に対してリレー動作信号は出力されない。この制御信号に従ってスイッチ１１１Ｂが閉塞する。メイン系電源回路１０９はＯＮ状態であるため、スイッチ１１１Ｂが閉塞してソレノイド１１１Ａのスイッチ１１１Ｂ側の端子が接地されることで、ソレノイド１１１Ａには２４Ｖの電位差が生じる。これによりソレノイド１１１Ａが動作して、メインスイッチ１１１が開放する。すなわち、メインスイッチがＯＦＦ状態となる。
【００４３】
一方、リセット検出部７６においてリセット機能を発揮させるタイミングが検出された時点でメイン系電源回路１０９がＯＦＦ状態であるとき、つまりコピー機１００Ａがスリープモードである場合には、リセット制御部７７は、リセット信号とリレー動作信号との両制御信号を出力し、その後、メイン系電源回路１０９にＯＮ状態とさせる制御信号を出力すると判断する。そこで、リセット制御部７７は、リセット信号出力部７８、リレー動作信号出力部７９、およびＯＮ／ＯＦＦコントロール信号出力部７５に対して制御信号を出力する。
【００４４】
リセット制御部７７からの制御信号に従って、リセット信号出力部７８からリセット信号がスイッチ１１１Ｂに対して出力され、リレー動作信号出力部７９からスイッチ１１２に対してリレー動作信号が出力される。この制御信号に従ってスイッチ１１１Ｂが閉塞すると共に、スイッチ１１２が開放する。この状態をＯＦＦモードとも称する。
【００４５】
その後でリセット制御部７７からの制御信号に従って、ＯＮ／ＯＦＦコントロール信号出力部７５からメイン系電源回路１０９に対してＯＮ／ＯＦＦコントロール信号である制御信号が出力される。この制御信号に従ってメイン系電源回路１０９はＯＦＦ状態からＯＮ状態に復帰する。
【００４６】
なお、少なくともメイン系電源回路１０９がＯＮ状態となるよりも以前にスイッチ１１２が開放していればよいため、少なくともリレー動作信号が出力されていればよく、リセット信号はメイン系電源回路１０９がＯＮ状態となった後に出力されてもよい。
【００４７】
スイッチ１１１Ｂが閉塞してソレノイド１１１Ａのスイッチ１１１Ｂ側の端子が接地され、メイン系電源回路１０９がＯＮ状態となると、ソレノイド１１１Ａには２４Ｖの電位差が生じる。これによりソレノイド１１１Ａが動作して、メインスイッチ１１１が開放する。すなわち、メインスイッチがＯＦＦ状態となる。このとき、スイッチ１１２が開放することでＯＦＦモードとなっているため、メイン系電源回路１０９がＯＮ状態となっても負荷構成に対して電力供給が行なわれない。すなわち、スイッチ１１１Ｂが閉塞し、かつスイッチ１１２が開放することで、メイン系電源回路１０９がＯＮ状態となるとソレノイド１１１Ａの両端子間の電位差を生じさせ、かつ負荷構成への電力供給が行なわれない。
【００４８】
＜動作フロー＞
図３は、第１の実施の形態にかかるコピー機１００Ａにおける動作を表わしたフローチャートである。図３のフローチャートに表わされた動作は、制御基板１０７に含まれる図示しないＣＰＵがメモリに記憶されているプログラムを実行することによって図２の各機能を発揮させ、図１の各部を動作させることによって実現される。
【００４９】
図３を参照して、ＣＰＵにおいてリセット機能を発揮させるタイミングが検出されると（ステップＳ１０１でＹＥＳ）、ＣＰＵはメイン系電源回路１０９がＯＮ状態であるかＯＦＦ状態であるかを確認することで、スリープモードであるかスタンバイモードであるかを判別する。
【００５０】
スタンバイモードであった場合には（ステップＳ１０３でＹＥＳ）、ステップＳ１０５でＣＰＵはソレノイド１１１Ａを動作させてメインスイッチ１１１をＯＦＦ状態とするためにスイッチ１１１Ｂを閉塞する。
【００５１】
一方、スリープモードであった場合には（ステップＳ１０３でＮＯ）、ステップＳ１０７でＣＰＵは、スイッチ１１２を開放してメイン系電源回路１０９と負荷構成との接続を遮断することでＯＦＦモードとし、その後、ステップＳ１０９でスイッチ１１１Ｂを閉塞し、かつメイン系電源回路１０９をＯＮ状態とする。
【００５２】
＜実施の形態の効果＞
図１に示される構成および図３に示された制御が行なわれることで、コピー機１００Ａでは、メイン系電源回路１０９の電源供給による電位差を利用してソレノイド１１１Ａを動作させてメインスイッチ１１１をＯＦＦ状態とすることが可能となり、ソレノイド１１１Ａを動作させるための新たな構成を不要とすることができる。
【００５３】
さらに、スリープモードにおいてリセット機能を発揮させる際に、メイン系電源回路１０９がＯＮ状態に復帰するよりも以前に負荷構成への接続が遮断されるために、その復帰に伴って負荷構成に電力供給が行なわれることがなくソレノイド１１１Ａに電位差を生じさせることができる。このため、リセット機能を発揮させる際に操作パネル１０１が点灯したりファン１０２の駆動が開始したりといった負荷構成における動作が開始されることを防止でき、より、省電力を達成することができる。また、リセット機能を発揮させる際にこれらの動作が開始されることによる違和感を生じさせないようにできる。
【００５４】
［第２の実施の形態］
第１の実施の形態においては、リセット機能発揮時のメイン系電源回路１０９から負荷構成への電力供給を遮断するための構成としてメイン系電源回路１０９と負荷構成との間にスイッチ１１２を有する構成として、スリープモードにおいてリセット機能を発揮させる際に該スイッチ１１２を開放するものとした。しかしながら、スリープモードにおいてリセット機能を発揮させる際にメイン系電源回路１０９から負荷構成への電力供給が遮断されれば、他の構成であってもよい。第２の実施の形態として、他の構成例について説明する。
【００５５】
＜装置構成＞
図４は、第２の実施の形態にかかる画像形成装置であるコピー機１００Ｂの装置構成および電源構成の具体例を示す図である。
【００５６】
図４を参照して、第２の実施の形態にかかるコピー機１００Ｂは、図１に示されたコピー機１００Ａの構成のうちのスイッチ１１２を含まず、メイン系電源回路１０９が間にスイッチを挟まずに直接負荷構成に接続される。
【００５７】
＜制御概要＞
第２の実施の形態においては、コピー機１００Ｂは、スリープモードにおいてリセット機能を発揮させる際に、先立って負荷構成に対して、給電されても起動させないようにするための制御信号を出力する。そして、その後、メイン系電源回路１０９をＯＮ状態とする。
【００５８】
これにより、メイン系電源回路１０９がＯＮ状態となってソレノイド１１１Ａの端子間に２４Ｖに相当する電位差が生じてソレノイド１１１Ａが動作すると共に、負荷構成に対しても給電が開始されるものの、上記制御信号によって負荷構成はいずれも起動しない。
【００５９】
＜機能構成＞
図５は、上記制御を実現するためのコピー機１００Ｂの制御基板１０７の構成の具体例を示す図である。制御基板１０７には図示しないＣＰＵが含まれ、図２に示される構成は、すべて、ＣＰＵが図示しないメモリに記憶されているプログラムを実行することによって実現されるソフトウェア構成であってもよいし、少なくとも一部が電子回路などのハードウェア構成で実現されるものであってもよい。
【００６０】
図５を参照して、コピー機１００Ｂの制御基板１０７には、図２に示された構成と比較して、リレー動作信号出力部７９が含まれない。
【００６１】
コピー機１００Ｂの制御基板１０７では、リセット検出部７６においてリセット機能を発揮させるタイミングが検出された時点で、リセット制御部７７がメイン系電源回路１０９がＯＦＦ状態であると確認されると、つまりコピー機１００Ｂがスリープモードである場合には、リセット制御部７７は負荷構成に対して起動させないようにする制御信号を出力させ、その後、リセット信号とメイン系電源回路１０９にＯＮ状態とさせる制御信号とを出力すると判断する。そこで、リセット制御部７７は、リセット信号出力部７８、動作制御部７２、およびＯＮ／ＯＦＦコントロール信号出力部７５に対して制御信号を出力する。
【００６２】
リセット制御部７７からの制御信号に従って、リセット信号出力部７８からリセット信号がスイッチ１１１Ｂに対して出力され、動作制御部７２から負荷構成に対して起動させないようにする制御信号が出力される。この状態もＯＦＦモードと称することができる。
【００６３】
その後でリセット制御部７７からの制御信号に従って、ＯＮ／ＯＦＦコントロール信号出力部７５からメイン系電源回路１０９に対してＯＮ／ＯＦＦコントロール信号である制御信号が出力される。この制御信号に従ってメイン系電源回路１０９はＯＦＦ状態からＯＮ状態に復帰する。
【００６４】
なお、第２の実施の形態にかかるコピー機１００Ｂにおける動作も、図３のフローチャートに表わされた第１の実施の形態にかかるコピー機１００Ａにおける動作と概ね同じである。コピー機１００Ｂでは、上記ステップＳ１０７でスイッチ１１２を開放する制御に替えて、負荷構成に対して制御信号を出力することで起動させないようにする点が異なる。
【００６５】
＜実施の形態の効果＞
このような制御が行なわれることでも、スリープモードにおいてリセット機能を発揮させる際に、メイン系電源回路１０９のＯＮ状態への復帰に伴って負荷構成に電力が供給されてもこれら負荷構成が起動することなくソレノイド１１１Ａに電位差を生じさせることができる。このため、リセット機能を発揮させる際に操作パネル１０１が点灯したりファン１０２の駆動が開始したりといった負荷構成における動作が開始されることを防止でき、より、省電力を達成することができる。また、リセット機能を発揮させる際にこれらの動作が開始されることによる違和感を生じさせないようにできる。
【００６６】
さらに、コピー機１００Ｂではコピー機１００Ａと比較してスイッチ１１２を不要とすることができ、構成および制御をより簡易にすることができる。
【００６７】
さらに、コピー機１００Ａ，Ｂにおいて上述の制御を実行させるためのプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６８】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００７０】
提供されるプログラム製品は、ハードディスクなどのプログラム格納部にインストールされて実行される。なお、プログラム製品は、プログラム自体と、プログラムが記録された記録媒体とを含む。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
７１  入力部、７２  動作制御部、７３  動作制御信号出力部、７４  スリープ検出部、７５  コントロール信号出力部、７６  リセット検出部、７７  リセット制御部、７８  リセット信号出力部、７９  リレー動作信号出力部、１００Ａ，１００Ｂ  コピー機、１０１  操作パネル、１０２  ファン、１０３  イメージングユニット、１０４  スキャナ、１０５  自動原稿読取装置、１０６  フィニッシャ、１０７  制御基板、１０８  コンセント、１０９  メイン系電源回路、１１０  サブ系電源回路、１１１  メインスイッチ、１１１Ａ  ソレノイド、１１１Ｂ，１１２  スイッチ。
【図１】
2012132989.tif 000003
【図２】
2012132989.tif 000004
【図３】
2012132989.tif 000005
【図４】
2012132989.tif 000006
【図５】
2012132989.tif 000007